(57)【要約】【課題】画像形成装置において、記録紙の給紙・搬送時の給紙ローラと記録紙との摩擦音を低減し、ユーザが快適に使用可能にする。【解決手段】画像形成装置１は、記録紙Ｐが載置される給紙トレイ１１と、その後端上方に設けられた給紙ローラ２１と、給紙された記録紙Ｐを搬送する搬送ローラ２５ａを有している。給紙ローラ２１は、シャフト２１ａが筐体１０に対し所定の回転角であるときに記録紙Ｐの端部に当接するようなピックローラ２１ｂと、その両端の一対のガイド板２１ｃと、ガイド板２１ｃに軸支された遊動コロ２１ｄとを有している。記録紙Ｐは、給紙ローラ２１の回動によりピックローラ２１ｂと当接して給紙された後、搬送ローラ２５ａに接触して記録紙ガイド１５に沿って搬送される。このとき、記録紙Ｐは、上面が遊動コロ２１ｄに当接した状態で、遊動コロ２１ｄを転動させながら、ガイド板２１ｃに摺接せずに筐体１０の内部に搬送される。【選択図】図３
2007230766.tif 000002
【特許請求の範囲】
【請求項１】
表面に感光体層が形成された感光体ドラムと、
前記感光体ドラムの表面を均一に帯電させる帯電手段と、
前記感光体ドラムの表面にレーザ光を走査させながら照射して潜像を形成する露光装置と、
前記感光体ドラムの表面のうち潜像が形成された部分にトナーを付着させてトナー像を形成する現像装置と、
前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、
トナー像が転写された記録紙に所定の熱及び圧力を与えてトナー像を記録紙上に定着させる定着ローラと、
一端が上下方向に変位可能になるように他端近傍で筐体下部に軸支されており、記録紙が略水平に載置される給紙トレイと、
記録紙を筐体内部に搬送する記録紙搬送機構と、
前記給紙トレイに載置された記録紙のうち最も上方のものを給紙トレイの一端側から前記記録紙搬送機構に給紙する給紙機構とを備え、
前記給紙機構は、筐体に略水平に軸支されたシャフトと、このシャフトが筐体に対し所定の回転角であるときに前記給紙トレイに載置された記録紙の端部に当接するように前記シャフトに取り付けられたローラ部と、このローラ部の両端部に配置され、ローラ部が記録紙と当接しないときに筐体内部に搬送される記録紙に摺接してガイド可能な一対のガイド部材とで構成された給紙ローラを有しており、この給紙ローラが１回転する毎に記録紙１枚を給紙するように構成されている画像形成装置において、
前記給紙ローラは、前記一対のガイド部材の間に、ガイド部材に対し回動自在に略水平に軸支された遊動コロをさらに有しており、
この遊動コロは、前記ローラ部が記録紙と当接しないときに、筐体内部に搬送される記録紙と当接して転動可能に配置されており、
前記遊動コロが記録紙と当接して転動することにより、筐体内部に搬送される記録紙が前記ガイド部材に摺接しないように構成され、それによって記録紙の給紙・搬送時に前記給紙ローラと記録紙との摩擦音を低減したことを特徴とする画像形成装置。
【請求項２】
記録紙が載置される給紙トレイと、
記録紙を筐体内部に搬送する記録紙搬送機構と、
前記給紙トレイに載置された記録紙を前記記録紙搬送機構に給紙する給紙機構とを備え、
前記給紙機構は、給紙時に前記給紙トレイに載置された記録紙に当接するローラ部と、このローラ部の両端部に配置された一対のガイド部材とで構成された給紙ローラを有しており、この給紙ローラが１回転する毎に記録紙１枚を給紙するように構成されている画像形成装置において、
前記給紙ローラは、前記一対のガイド部材の間に、ガイド部材に対し回動自在に軸支された遊動コロをさらに有しており、
この遊動コロは、前記ローラ部が記録紙と当接しないときに、筐体内部に搬送される記録紙と当接して転動可能に配置されていることを特徴とする画像形成装置。
【発明の詳細な説明】
【技術分野】
【０００１】
本発明は、筐体内部に給紙された記録紙に画像を形成する画像形成装置に関し、より詳しくは、給紙トレイに載置された記録紙を給紙ローラを回動させて給紙する機構に関する。
【背景技術】
【０００２】
従来、筐体内部に給紙された記録紙に画像を形成する画像形成装置が知られている。このような画像形成装置において、給紙トレイに載置された記録紙を給紙するための給紙機構として、一回転する毎に記録紙を一枚ずつ給紙するように構成された給紙ローラを用いたものがある。
【０００３】
図４（ａ）、（ｂ）は、そのような従来の画像形成装置の給紙ローラを示す。この従来の画像形成装置では、給紙トレイ８１１に載置された記録紙Ｐを、ゴムローラ８２１ｂと。ゴムローラ８２１ｂの端部に配されたガイド板８２１ｃとで構成された給紙ローラ８２１を用いて給紙する。すなわち、図４（ａ）に示すように、給紙動作を行うときには、給紙ローラ８２１が回動し、ゴムローラ８２１ｂが記録紙Ｐの先端部近傍に当接することにより、記録紙Ｐが給紙方向（図の白抜き矢印で示す）に送出される。送出された記録紙Ｐは、図４（ｂ）に示すように、回動する搬送ローラ８２５ａに接触し、さらに搬送ローラ８２５ａの回転によって、筐体８１０の記録紙ガイド８１５に沿って筐体８１０の内部に搬送される。このとき、給紙ローラ８２１は、ガイド板８２１ｃが記録紙Ｐに当接し得るような状態で回動を停止している。すなわち、記録紙Ｐは、ガイド板８２１ｃと記録紙ガイド８１５に沿って筐体内部に搬送される。この従来の画像形成装置は、上述のように給紙ローラ８２１を一回転させることにより、記録紙Ｐを一枚ずつ給紙するように構成されている。
【０００４】
しかしながら、上述の従来の画像形成装置においては、給紙・搬送時にガイド板８２１ｃと記録紙Ｐとが摺接する際に生じる摩擦音が大きいという問題がある。このような摩擦音は、ユーザに不快感を生じさせるものであり、できるだけ小さくすることが望まれているものである。
【０００５】
従来の画像形成装置においても、例えばクラッチ機構付きの給紙ローラ等を用いれば、記録紙Ｐを送出した後に摩擦音が発生しないようにすることが可能である。すなわち、給紙ローラが回動して記録紙を送出した後、クラッチ機構により給紙ローラが回動自在で記録紙の搬送に合わせて従動可能な状態になる。そして、このように給紙ローラと記録紙とが大きな摩擦音が発生しないように当接した状態で、記録紙を搬送させることができる。しかしながら、このようなクラッチ機構付きの給紙ローラ等は、上述のような給紙ローラ８２１と比較して構造が複雑で部品点数も多いものである。従って、画像形成装置が高コスト化してしまうという問題があるため、上述の問題点を解決するために常に適用可能な解決策にはなりえない。
【０００６】
なお、特許文献１には、原稿テーブルの原稿載置面に吸振コロを設け、用紙の共振を抑えて異常音を低減させる給紙装置が記載されている。また、特許文献２には、給紙カセットと搬送路との間に回転体を設けることにより、搬送路の騒音を防止した紙搬送機構が記載されている。特許文献３には、給紙トレイから送り出した用紙を搬送方向にガイドするように給紙トレイの上端部に回転体を配置した給紙装置が記載されている。しかしながら、これらの特許文献１乃至特許文献３には上述のような記録紙Ｐと給紙ローラ８２１との摩擦音についての問題点に対して有効な解決策は開示されていない。
【特許文献１】特開平１１−１０６０７８号公報
【特許文献２】特開平６−２５５８３４号公報
【特許文献３】特開平７−１２５８６４号公報
【発明の開示】
【発明が解決しようとする課題】
【０００７】
本発明は、上記問題点を鑑みてなされたものであり、記録紙の給紙・搬送時に、給紙ローラと記録紙との摩擦音を低減することが可能であり、ユーザが快適に使用することが可能な画像形成装置を提供することを目的とする。
【課題を解決するための手段】
【０００８】
上記目的を達成するため請求項１の発明は、表面に感光体層が形成された感光体ドラムと、前記感光体ドラムの表面を均一に帯電させる帯電手段と、前記感光体ドラムの表面にレーザ光を走査させながら照射して潜像を形成する露光装置と、前記感光体ドラムの表面のうち潜像が形成された部分にトナーを付着させてトナー像を形成する現像装置と、前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、トナー像が転写された記録紙に所定の熱及び圧力を与えてトナー像を記録紙上に定着させる定着ローラと、一端が上下方向に変位可能になるように他端近傍で筐体下部に軸支されており、記録紙が略水平に所定の向きに載置される給紙トレイと、記録紙を筐体内部に搬送する記録紙搬送機構と、前記給紙トレイに載置された記録紙のうち最も上方のものを給紙トレイの一端側から前記記録紙搬送機構に給紙する給紙機構とを備え、前記給紙機構は、筐体に略水平に軸支されたシャフトと、このシャフトが筐体に対し所定の回転角であるときに前記給紙トレイに載置された記録紙の端部に当接するように前記シャフトに取り付けられたローラ部と、このローラ部の両端部に配置され、ローラ部が記録紙と当接しないときに筐体内部に搬送される記録紙に摺接してガイド可能な一対のガイド部材とで構成された給紙ローラを有しており、この給紙ローラが１回転する毎に記録紙１枚を給紙するように構成されている画像形成装置において、前記給紙ローラは、前記一対のガイド部材の間に、ガイド部材に対し回動自在に略水平に軸支された遊動コロをさらに有しており、この遊動コロは、前記ローラ部が記録紙と当接しないときに、筐体内部に搬送される記録紙と当接して転動可能に配置されており、前記遊動コロが記録紙と当接して転動することにより、筐体内部に搬送される記録紙が前記ガイド部材に摺接しないように構成され、それによって記録紙の給紙・搬送時に前記給紙ローラと記録紙との摩擦音を低減したものである。
【０００９】
請求項２の発明は、記録紙が載置される給紙トレイと、記録紙を筐体内部に搬送する記録紙搬送機構と、前記給紙トレイに載置された記録紙を前記記録紙搬送機構に給紙する給紙機構とを備え、前記給紙機構は、給紙時に前記給紙トレイに載置された記録紙に当接するローラ部と、このローラ部の両端部に配置された一対のガイド部材とで構成された給紙ローラを有しており、この給紙ローラが１回転する毎に記録紙１枚を給紙するように構成されている画像形成装置において、前記給紙ローラは、前記一対のガイド部材の間に、ガイド部材に対し回動自在に軸支された遊動コロをさらに有しており、この遊動コロは、前記ローラ部が記録紙と当接しないときに、筐体内部に搬送される記録紙と当接して転動可能に配置されているものである。
【発明の効果】
【００１０】
請求項１の発明によれば、給紙ローラのガイド部材の間に、ガイド部材に対し回動自在に遊動コロが配置されており、この遊動コロが筐体内部に搬送される記録紙と当接して転動する。従って、記録紙がガイド部材に摺接せず、給紙ローラと記録紙との摩擦音を低減させることが可能であり、画像形成装置を、ユーザが快適に使用することが可能なものにすることができる。
【００１１】
請求項２の発明によれば、給紙ローラのガイド部材の間に、ガイド部材に対し回動自在に遊動コロが配置されており、この遊動コロが筐体内部に搬送される記録紙と当接して転動可能である。従って、上述と同様に、給紙・搬送時の摩擦音を低減させることが可能であり、画像形成装置を、ユーザが快適に使用することが可能なものにすることができる。
【発明を実施するための最良の形態】
【００１２】
以下、本発明の一実施形態について図面を参照して説明する。図１は、本実施形態に係る画像形成装置を示す。この画像形成装置１は、いわゆるレーザービームプリンタであって、例えば外部のパーソナルコンピュータ等と接続され、このパーソナルコンピュータ等から送られた画像データに基いて、電子写真方式で記録紙Ｐに画像を形成するプリント動作を行う。画像形成装置１は、筐体１０の下部に配置され記録紙Ｐが略中央部に略水平に載置される給紙トレイ１１と、筐体１０の上部に設けられ筐体１０内から排出された記録紙Ｐが載置される排紙部１２と、給紙トレイ１１の後端の上方に配置されている給紙ローラ２１と、給紙された記録紙Ｐを筐体１０内部に搬送する記録紙搬送機構２５と、記録紙搬送機構２５により搬送された記録紙Ｐに画像を形成する画像形成部３０とを備えている。図に示すように、給紙トレイ１１の後方には、給紙トレイ１１から筐体１０の内部まで記録紙Ｐを沿わせてガイドするための記録紙ガイド１５が設けられている。
【００１３】
この画像形成装置１において、給紙トレイ１１は、その画像形成装置１の背面側の後端（一端）が上下方向に変位可能になるように、前端（他端）近傍の軸支部１１ａで筐体１０の下部に軸支されている。給紙トレイ１１の下面には、リフトばね１１ｂが圧縮された状態で筐体１０と給紙トレイ１１との間に跨設されている。すなわち、給紙トレイ１１は、このリフトばね１１ｂの復元力により、給紙トレイ１１の後端が常に上方に付勢されるような状態で設けられている。また、給紙トレイ１１の後端の幅方向両端近傍には、それぞれ当接部１１ｃが給紙トレイ１１の上方に向くように突設されている。この給紙トレイ１１は、後述するように、給紙ローラ２１の回動に応じて後端部が上下し、載置された記録紙Ｐのうち最も上方のものを給紙トレイ１１の後方から記録紙搬送機構２５に送出するように構成されている。すなわち、本実施形態においては、給紙ローラ２１と給紙トレイ１１とで記録紙Ｐを給紙する給紙機構１００を構成している。
【００１４】
記録紙搬送機構２５は、給紙トレイ１１の後方に配置され、給紙機構１００により給紙された記録紙Ｐを記録紙ガイド１５に沿わせて筐体１０の上方に搬送する搬送ローラ２５ａと、筐体１０の内部で記録紙Ｐを搬送する搬送ローラ２５ｂ等の複数のローラと、これらのローラを駆動するモータ（図示せず）等で構成されている。なお、このモータは、給紙ローラ２１も駆動するように構成されている。
【００１５】
画像形成部３０は、表面に感光体層が形成された感光体ドラム３２、クリーナ３３、帯電器（帯電手段）３４、レーザスキャンユニット（露光装置）３５、現像ブラシ（現像装置）３６、転写ローラ３７、転写ローラ３７に対して記録紙Ｐの搬送方向の下流側に配置されている定着ローラ３８等によって構成されている。
【００１６】
以下に、この画像形成部３０の各部位の構成と動作を説明する。クリーナ３３は、感光体ドラム３２の表面に付着している１行程（１回転）前のトナー及び紙粉を除去し、ドラム表面を清掃する。帯電器３４は、クリーナ３３によって清掃された感光体ドラム３２の表面を均一に帯電させる。レーザスキャンユニット３５は、レーザビームを出力する半導体レーザ、半導体レーザから出力されたレーザビームを反射するポリゴンミラー、ポリゴンミラーにより反射されたレーザビームの反射角度に応じて収差を補正するｆθレンズ等で構成されている。レーザスキャンユニット３５は、帯電器３４によって帯電された感光体ドラム３２の表面にレーザビームＢを走査させながら照射して潜像を形成する。レーザスキャンユニット３５は、電源装置（図示せず）によって給電され、レーザダイオードを発光させるための駆動電圧が印加される。現像ブラシ３６は、トナーが充填されたトナーカートリッジ３６ａに装着されており、感光体ドラム３２の表面のうち潜像が形成された部分にトナーを付着させてトナー像を形成する。転写ローラ３７は、感光体ドラム３２の回転方向の現像ブラシ３６よりも下流側の所定の転写位置において感光体ドラム３２の表面に対向するように設けられている。転写ローラ３７は、記録紙Ｐを感光体ドラム３２の表面に押圧しながら記録紙Ｐの表面を帯電させて、感光体ドラム３２の表面に形成されたトナー像を記録紙Ｐの上に転写させる。転写ローラ３７には、記録紙Ｐの表面を帯電させるための転写電圧が電源装置より印加される。転写ローラ３７によって表面に画像が形成された記録紙Ｐは、定着ローラ３８に搬送される。定着ローラ３８は、対向して配置された押圧ローラ３８ａとの間に記録紙Ｐを挟みつつ熱と圧力を加えてトナーを定着させる。トナー定着のための熱は、定着ローラ３８に内蔵されているヒータ（例えば、ハロゲンランプ等）から供給される。ヒータには、電源装置(図示せず)によって発生された定着電圧が印加される。
【００１７】
図２は、給紙ローラ２１を示す。給紙ローラ２１は、筐体１０に略水平に軸支された状態で設けられている。給紙ローラ２１は、例えば断面略矩形形状で、両端部で筐体１０に軸支されるシャフト２１ａと、このシャフト２１ａの略中央部に設けられ、例えばゴム製のピックローラ（ローラ部）２１ｂと、このピックローラ２１ｂの両端部に配置された例えば樹脂製の一対のガイド板（ガイド部材）２１ｃと、この一対のガイド板２１ｃの間に配された遊動コロ２１ｄと、シャフト２１ａの両端部近傍に、給紙トレイ１１の当接部１１ｃに対応する位置に配置された所定のカムプロファイルを有するリフトカム２１ｅとで構成されている。ピックローラ２１ｂは、その断面が例えば１００度程度の中心角の略扇形状に形成されており、その円筒面の軸となる位置にシャフト２１ａが通るようにしてシャフト２１ａに設けられている。ガイド板２１ｃは、その端部近傍の所定位置が遊動コロ２１ｄの軸支点になるように形成されている。遊動コロ２１ｄは、図に示すように、転動面がガイド板２１ｃの端部よりも径方向外方に張り出すように両端がガイド板２１ｃに軸支されて配置されている。これらのピックローラ２１ｂ、ガイド板２１ｃ、及びリフトカム２１ｅは、図に示すように、シャフト２１ａに対してそれぞれ所定の位相関係となるように配置されており、後述するように給紙トレイ１１と連動して記録紙Ｐを給紙可能に構成されている。
【００１８】
次に、図３（ａ）、（ｂ）、（ｃ）を参照して、この画像形成装置１において給紙機構１００により行われる給紙動作について説明する。この画像形成装置１は、給紙ローラ２１を回転させて、給紙ローラ２１が１回転する毎に記録紙Ｐを１枚を給紙するように構成されている。本実施形態では、リフトカム２１ｅに当接部１１ｃが当接しており、給紙ローラ２１の回動に伴い、給紙トレイ１１の後端部を上方に変位させながらピックローラ２１ｂにより記録紙Ｐを送出する。なお、給紙機構１００の給紙動作はこれに限られるものではない。例えば、給紙ローラ２１がリフトカム２１ｅを有しておらず、歯車等の組み合わせにより、給紙ローラ２１と給紙トレイ１１が連動して記録紙Ｐを給紙するように構成されていてもよい。
【００１９】
先ず、図３（ａ）に示すように、給紙動作を実行する前の状態では、給紙ローラ２１は筐体１０に対して所定の回転角で停止した状態である。このとき、当接部１１ｃはリフトカム２１ｅに当接して下方に押し込まれている。これにより、給紙トレイ１１は、ばね１１ｃを圧縮した状態で、上面が略水平な状態になっている。そして、このとき、給紙ローラ２１は、ピックローラ２１ｂの円筒面が上方に位置するように構成されており、給紙トレイ１１に載置された記録紙Ｐと給紙ローラ２１とは離れた状態になっている。
【００２０】
給紙動作が始まると、給紙ローラ２１が図の矢印Ｒ１で示す方向に回動する。このとき、搬送ローラ２５ａも、給紙ローラ２１と連動して図の矢印Ｒ２で示す方向に回動する。給紙ローラ２１の回動に伴い、リフトカム２１ｅによる当接部１１ｃの下方への押し込み量が変化する。リフトカム２１ｅによる押し込み量の変化に伴い、給紙トレイ１１は、リフトばね１１ｂの復元力により、軸支部１１ａを中心に回動してその後端が図の矢印Ｌで示すように上方に変位した状態になる。給紙ローラ２１が回動して給紙トレイ１１の後端が上方に変位すると、ピックローラ２１ｂの円筒面と給紙トレイ１１に載置されている記録紙Ｐの上面とが当接する状態となる。そして、ピックローラ２１ｂが記録紙Ｐの後端部の上面に当接しながら回動することにより、記録紙Ｐが図の矢印Ｄで示す方向に給紙される。記録紙Ｐは、ピックローラ２１ｂの円筒面と当接している間、すなわち、シャフト２１ａが筐体１０に対し所定の回転角にある間に送出される。そして、記録紙Ｐは、給紙方向先端部が筐体１０の記録紙ガイド１５に沿ってされて給紙トレイ１１から搬送ローラ２５ａに到達するまでは、ピックローラ２１ｂにより給紙される。
【００２１】
上述のようにピックローラ２１ｂにより記録紙Ｐを送出しながら、さらに給紙ローラ２１が回動すると、記録紙Ｐの給紙方向先端部が搬送ローラ２５ａに到達するとともに、リフトカム２１ｅにより当接部１１ｃが押し下げられてピックローラ２１ｂの円筒面と記録紙Ｐの上面とが離れた状態になる。記録紙Ｐは、図の矢印Ｒ２方向に回動する搬送ローラ２５ａに接触することにより、上方の筐体１０の内部に向け、記録紙ガイド１５に沿って搬送される。ここで、給紙ローラ２１は、図３（ｃ）で示すように、回動開始してから略１回転したときに、それ以上回転しないようにロックされるように構成されている。図に示すように、このように給紙ローラ２１がロックされた状態で、記録紙Ｐの上面は遊動コロ２１ｄの転動面と当接し、記録紙Ｐの搬送に伴い遊動コロ２１ｄが図の矢印Ｒ３で示す方向に転動する。すなわち、記録紙Ｐは、上面がこの遊動コロ２１ｄに当接し、略水平状態から上方に向け記録紙ガイド１５に沿って湾曲された状態で、遊動コロ２１ｄを転動させながら搬送ローラ２５ａによって筐体１０の内部に搬送される。
【００２２】
給紙機構１００により記録紙Ｐが給紙されて筐体１０の内部に搬送されると、画像形成部３０によって、上述のように記録紙Ｐ上に電子写真方式により画像が形成される。画像が形成された記録紙Ｐは、排紙部１２上に排出される。
【００２３】
このように、本実施形態においては、給紙・搬送時に、給紙ローラ２１のガイド板２１ｃの間の遊動コロ２１ｄが記録紙Ｐと当接して転動することにより、記録紙Ｐがガイド板２１ｃに摺接することがなくなる。従って、構造が複雑で部品点数が多い例えばクラッチ機構付きの給紙ローラ等を用いなくても、給紙ローラ２１と記録紙Ｐとの摩擦音を低減させることが可能であり、画像形成装置１を、ユーザが快適に使用することが可能なものにすることができる。
【００２４】
なお、本発明は上記実施形態の構成に限定されるものではなく、発明の趣旨を変更しない範囲で適宜に種々の変形が可能である。例えば、遊動コロ２１ｄは、１個ではなく、２個以上設けられていてもよい。また、給紙トレイ１１は、筐体１０の下部に設けられているものに限られるものではなく、また、給紙ローラ２１に連動して給紙機構１００を構成するものでなくてもよい。そして、給紙ローラ２１は、例えば給紙トレイ１１の下方に設けられ、給紙トレイ１１に載置された記録紙Ｐを下方のものから一枚ずつ給紙するように構成されていてもよい。このような場合にも、給紙ローラ２１の一対のガイド板２１ｃの間に遊動コロ２１ｄを設け、給紙・搬送時に、記録紙Ｐが遊動コロ２１ｄの転動面に当接してガイド板２１ｃに摺接しないようにすることにより、給紙ローラ２１と記録紙Ｐとの摩擦音を低減させることが可能である。
【００２５】
さらにまた、画像形成装置１は、上述のような電子写真方式により記録紙Ｐに画像を形成するものに限られるものではない。画像形成装置１は、例えば、画像形成部３０が、記録紙Ｐを搬送しながら、記録紙Ｐの搬送方向に直交する方向に往復移動されるキャリッジの記録ヘッドからインクを記録紙Ｐに向け吐出させ、インクジェット方式により記録紙Ｐに画像を形成するような、いわゆるインクジェットプリンタであってもよい。
【図面の簡単な説明】
【００２６】
【図１】本発明の一実施形態に係る画像形成装置を示す側面図。
【図２】同上装置の給紙ローラを示す斜視図。
【図３】（ａ）は同上装置の給紙動作が行われる前を示す側面図、（ｂ）は同装置の給紙動作が行われているときを示す側面図、（ｃ）は同装置において記録紙が搬送ローラに給紙されたときの動作を示す側面図。
【図４】（ａ）は従来の画像形成装置の給紙動作の一例を示す側面図、（ｂ）は同装置において記録紙が搬送ローラに給紙されたときの動作を示す側面図。
【符号の説明】
【００２７】
１  画像形成装置
１０  筐体
１１  給紙トレイ
２１  給紙ローラ
２１ａ  シャフト
２１ｂ  ピックローラ（ローラ部）
２１ｃ  ガイド板（ガイド部材）
２１ｄ  遊動コロ
２５  記録紙搬送機構
２５ａ  搬送ローラ
３０  画像形成部
３２  感光体ドラム
３４  帯電器（帯電手段）
３５  レーザスキャンユニット（露光装置）
３６  現像ブラシ（現像装置）
３７  転写ローラ
３８  定着ローラ
１００  給紙機構
Ｐ  記録紙
【図１】
2007230766.tif 000003
【図２】
2007230766.tif 000004
【図３】
2007230766.tif 000005
【図４】
2007230766.tif 000006